(57)【要約】【課題】  畦上面を形成する円筒状回転具と畦側面を形成する円錐面を有する回転板とからなる畦形成装置において、吸着性の強い粘土質土壌等においても畦の形成ができる畦形成装置を提供する。【解決手段】  畦形成装置の畦側面を形成する円錐面を放射状の分割片に分割し、分割片は側面視において、回転方向の前方側は前進角を設けた曲面部と、後方側は曲面と接する平面部とから形成されて互いに端部を重ね合せて連結し円錐面を形成した。また、分割片の前方側は前進角を設けた曲面部と後端部は曲面部外周より外側に折り曲げて突設部を形成しても良い。【選択図】      図１
2006061004.tif 000002
【特許請求の範囲】
【請求項１】
畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒回転体と、円筒回転体の回転駆動力供給側に取り付けられ回転駆動力供給側にいく程径大となり、円筒回転体の中央に向けた傾斜面を有するとともに、表面は放射状の分割片に分割され、分割片は側面視において、回転方向の前方側は前進角を設けた回転軸芯に対して略円弧状の曲面部と、後方側はこの曲面と接する平面部とから形成されて、互いに隣接する分割片の前方側に後端部を重ね合せて連結された円錐回転体とからなることを特徴とする畦形成機。
【請求項２】
畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒回転体と、円筒回転体の回転駆動力供給側に取り付けられ回転駆動力供給側にいく程径大となり円筒回転体の中央に向けた傾斜面を有するとともに、表面は放射状の分割片に分割され、分割片は側面視において、回転方向の前方側は前進角を設けた回転軸芯に対して略円弧状の曲面部と、後端部は前記曲面部外周より外側に折り曲げて突設部を形成し、互いに隣接する分割片の前方側に後端部を重ね合せて連結された円錐回転体とからなることを特徴する畦形成機。
【発明の詳細な説明】
【技術分野】
【０００１】
本発明は、畦形成機の畦形成ディスクの構成に関する。
【背景技術】
【０００２】
従来の畦形成機の畦形成ディスクの構成として、同一出願人による特許第３１４８６７８号公報によるものが知られている。この公報による畦形成機は、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され各々の分割片は進行方向に対して前進角を設けてなり、隣接する分割片の相互は逃げ角をもち、側面視にてジグザグ状に連結される円錐回転体とからなるものである。
【特許文献１】特許第３１４８６７８号公報
【発明の開示】
【発明が解決しようとする課題】
【０００３】
従来の畦形成装置は、畦と直交して回転して畦上面を通過する円筒状回転具と、畦側面を通過し畦側面を形成する円錐面を有する内側回転板とからなり、前記畦形成回転体の周速を走行車の走行速度よりも速く設定し、スリップ作用によって畦を締め固めようとするものである。前記従来技術では、さらに畦を堅く締め固めるために円錐回転体を放射状の分割片とし、側面視ジグザグ状としたり、進行方向に対して前進角を設け隣接する分割片相互は逃げ角をもって連結させ断続圧を加えて練り込んでいた。
しかしながら、土質が吸着性の非常に強い粘土質土壌等においては、一旦圧力を加えて押し付けられた土壌は、円錐回転体に吸着し土の離れが悪くなり、またスリップ作用が起きにくくなるため、一度塗り付けた畦の表面を剥ぎ取るように作用し、畦の形成ができなくなるという課題を有していた。このことから、本発明の目的は吸着性の強い土壌においても畦の形成ができる畦形成装置を提供することにある。
【課題を解決するための手段】
【０００４】
前記課題を解決するために、畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒回転体と、円筒回転体の回転駆動力供給側に取り付けられ回転駆動力供給側にいく程径大となり、円筒回転体の中央に向けた傾斜面を有するとともに、表面は放射状の分割片に分割され、分割片は側面視において、回転方向の前方側は前進角を設けた回転軸芯に対して略円弧状の曲面部と、後方側はこの曲面と接する平面部とから形成されて、互いに隣接する分割片の前方側に後端部を重ね合せて連結された円錐回転体とからなることを特徴とする畦形成機。
【０００５】
また、畦形成箇所に沿って移動され、畦形成箇所に土を盛り上げ状態に供給する土盛装置と、土盛装置の移動方向の後方に設置される畦形成装置とを有し、畦形成装置は、土を盛り上げ状態とされた畦形成箇所上を回転しながら通過させる円筒回転体と、円筒回転体の回転駆動力供給側に取り付けられ回転駆動力供給側にいく程径大となり円筒回転体の中央に向けた傾斜面を有するとともに、表面は放射状の分割片に分割され、分割片は側面視において、回転方向の前方側は前進角を設けた回転軸芯に対して略円弧状の曲面部と、後方側はこの曲面と接する平面部とから形成されて、互いに隣接する分割片の前方側に後端部を重ね合せて連結された円錐回転体とからなることを特徴とする畦形成機を提供するものである。
【発明の効果】
【０００６】
以上のような構成にしたことにより、放射状の分割片後方側の平面部の作用により、土を畦側に直線状に押し付けるため、従来の曲面部のみのものより接触面積も少なく土の離れが良くなり、さらに分割片表面の連続した滑動面を平面部で切り上げて吸着した土を切断する効果もあり、吸着性の強い土質においてもより良い畦の形成ができる。
【０００７】
さらに放射状の分割片後端部は、前方の曲面部外周より外側に折り曲げて突設させることで、後端面が畦面より離れる時に畦面と分割片後端面の角度が大きくなり、前記平面部よりさらに土の剥離を積極的に行うことができて、吸着性の強い土質においてもより良い畦の形成ができる。
【発明を実施するための最良の形態】
【０００８】
以下、本発明の実施の形態を図面に基づいて説明する。図１は本発明を実施した畦形成機の平面図、図２は同畦形成機の畦形成装置を一部断面した斜視図、図３は畦形成装置の分割片の後側が平面の場合の断面図、図４は畦形成装置の分割片の後端を折り曲げ突設させた断面図、図５は分割片の後端を折り曲げ突設させた別実施例の断面図を示したものである。
【０００９】
図１において、畦形成機の一例として、１の装着部、２の土盛装置、３の畦形成装置から構成される。１の装着部は、水平方向に延設したフレーム１１と、このフレーム１１より前方に突設され、図示されていないが走行車であるトラクタの三点リンクに装着される装着マスト１２と、フレーム１１の略中央部にはミッションケース１３が配置され構成される。
【００１０】
ミッションケース１３には前方に向けた入力軸１３ａが設けられ、この入力軸１３ａは、図示されていないがトラクタＰＴＯ軸よりユニバーサルジョイント１４を介しトラクタの駆動力を畦形成機へ入力するものである。
【００１１】
２の土盛装置は、砕土爪２１を爪軸２２の軸芯に対し放射状に複数設けたロータリ２３と、このロータリ２３を回転駆動するためのロータリ２３の一端を固着するロータリ出力軸２４を有したロータリ駆動ケース２５により構成され、前記装着部１のフレーム１１の一端にロータリ２３を作業進行方向に対し前方に配置するよう支持される。前記ロータリ駆動ケース２５の内部には、チェーン減速部２６が備えてある。
【００１２】
３の畦形成装置は、前記土盛装置２の後方に配置され、旧畦の上面を形成する上面形成体３１と、旧畦の側面を形成する側面形成体３２と、この上面形成体３１と側面形成体３２を回転駆動するための畦形成出力軸３３を有した畦形成駆動ケース３４とから構成され、前記装着部１のフレーム１１の一端に前記ロータリ駆動ケース２５とともに支持される。前記畦形成駆動ケース３４の内部には、チェーン減速部３５が備えてある。
【００１３】
駆動伝達について説明すると、前記ミッションケース１３より前方に突設させた入力軸１３ａに図示されていないが、トラクタＰＴＯ軸よりユニバーサルジョイント１４を介し駆動力が入力されると、ミッションケース１３の内部に設けたベベルギヤ１３ｂ，１３ｃを介し減速され、水平方向に延設したパイプ体にて構成されたフレーム１１の内部に回転可能に設けた駆動軸１３ｄへと伝達する。
【００１４】
ロータリ駆動ケース２５内部に備えたチェーン減速部２６は、前記駆動軸１３ｄに固着されたスプロケット２６ａと、前記ロータリ出力軸２４の内方端に固着したスプロケット２６ｂと、これらスプロケット２６ａ，２６ｂに巻架したチェーン２６ｃから構成され駆動軸１３ｄが駆動することにより、ロータリ出力軸２４に固着されたロータリ２３をチェーン減速部２６により減速し回転させる。
【００１５】
畦形成駆動ケース３４の内部に備えたチェーン減速部３５は、前記駆動軸１３ｄに固着したスプロケット３５ａと、畦形成駆動ケース３４から水平方向に突出する畦形成出力軸３３の内方端に固着したスプロケット３５ｂと、これらスプロケット３５ａ，３５ｂに巻架したチェーン３５ｃから構成され、駆動軸１３ｄが駆動することにより、畦形成出力軸３３に固着された上面形成体３１及び側面形成体３２をチェーン減速部３５によりさらに減速し回転させる。
【００１６】
側面形成体３２は、円錐形状を呈し円錐面を放射状に分割した分割片３２ｃを連結して組み合せ構成されている。
【００１７】
図２及び図３に基づいて畦形成装置３について説明する。上面形成体３１は、前記畦形成出力軸３３の外方端部に取り付けられるボス３１ａと、このボス３１ａに嵌合する円筒形状の上面ローラ３１ｂから構成され、側面形成体３２は、前記上面形成体３１の一端部となるボス３１ａの外周部より畦形成出力軸３３側となる外方へ向け徐々に径大となる円錐面を形成するよう放射状に複数設けたスポーク３２ａと、このスポーク３２ａの外周端を連結するリング３２ｂと、スポーク３２ａを基盤とし円錐面となる表面を放射状に分割し連続させた複数の分割片３２ｃを着脱自在とし構成される。
【００１８】
分割片３２ｃは、回転方向ｆに対して後端縁は隣接する分割片３２ｃの始端部の前縁に重ね合せてボルト３６によって組み合せスポーク３２ａに固着されている。分割片は弾性力のある樹脂部材等で構成されていても良い。
【００１９】
分割片３２ｃの回転方向ｆの前方側は、前進角Ｇを設けた曲面部Ａで形成され、後方側はこの曲面と接する平面部Ｂで形成されて、それぞれの分割片３２ｃは互いに端部を重ね合せて連結されて円錐状の回転体を構成している。
【００２０】
前記後方側の平面部Ｂの作用により土を畦側に直線状に押し付けながら離れ吸着面を切り上げて切断するように働くため、土の離れが良くなり吸着性の強い土質においてもより良い畦の形成ができる。
【００２１】
図４と図５は、分割片３２ｃの回転方向後端を折り曲げて前方側の曲面部外周より端部を外側に突設させた場合の断面図を示したもので、図４において分割片３２ｃの回転方向前方側は、前進角Ｇを設けた曲面部Ａで形成され、後端部は曲面部の外周より外側に折り曲げて突設部ｃを設けてある。図５は後端部の折り曲げを曲線状に折り曲げて突設部ｃを設けた別実施例を示したものである。
【００２２】
前記突設部ｃにより強制的に土を畦面側に押し付け、走行車の速度よりも速く回転させて起きるスリップ作用と相俟って分割片３２ｃに吸着した土を剥離させることができ、吸着性の強い土質においてもよりスムーズに畦の形成ができる。
【図面の簡単な説明】
【００２３】
【図１】本発明を実施した畦形成機の平面図
【図２】同畦形成機の畦形成装置を一部断面した斜視図
【図３】畦形成装置の分割片の後側が平面の場合の断面図
【図４】畦形成装置の分割片の後端を折り曲げ突設させた断面図
【図５】分割片の後端を折り曲げ突設させた別実施例の断面図
【符号の説明】
【００２４】
１      装着部
１１    フレーム
１２    装着マスト
１３    ミッションケース
１３ａ  入力軸
１３ｂ，１３ｃ    ベベルギヤ
１３ｄ  駆動軸
１４    ユニバーサルジョイント
２      土盛装置
２１    砕土爪
２２    爪軸
２３    ロータリ
２４    ロータリ出力軸
２５    ロータリ駆動ケース
２６    チェーン減速部
２６ａ，２６ｂ    スプロケット
２６ｃ  チェーン
３      畦形成装置
３１    上面形成体
３１ａ  ボス
３１ｂ  上面ローラ
３２    側面形成体
３２ａ  スポーク
３２ｂ  リング
３２ｃ  分割片
３３    畦形成出力軸
３４    畦形成駆動ケース
３５    チェーン減速部
３５ａ，３５ｂ    スプロケット
３５ｃ  チェーン
３６    ボルト
【図１】
2006061004.tif 000003
【図２】
2006061004.tif 000004
【図３】
2006061004.tif 000005
【図４】
2006061004.tif 000006
【図５】
2006061004.tif 000007